(57)【要約】  家具（１１０）のフラップ扉（１０１）を作動させるためのアクチュエータドライブ（１００）であって、このアクチュエータドライブは、フラップ扉（１０１）を作動させるために旋回可能に取り付けられたアクチュエータアーム（５０）と、開方向の旋回モーメントでアクチュエータアーム（５０）に作用するためのバネ装置（３０）と、アクチュエータドライブ（１００）を調節するための調節装置（２０）とを含んでおり、調節装置（２０）はピニオン（１）とクラウンギヤ（３）とを有するギヤトランスミッション（４）を有しており、クラウンギヤ（３）のクラウンギヤ軸（１３）は、ピニオン軸（１１）に好適には直交しており、ギヤトランスミッション（４）は、第１のピニオン（１）と同じクラウンギヤ（３）と係合している第２のピニオン（２）を有していることを特徴とする。
2016509143.tif 000002
【特許請求の範囲】
【請求項１】
家具（１１０）のフラップ扉（１０１）を作動させるためのアクチュエータドライブ（１００）であって、本アクチュエータドライブは、
前記フラップ扉（１０１）を作動させるために旋回可能に取り付けられたアクチュエータアーム（５０）と、
開方向の旋回モーメントで前記アクチュエータアーム（５０）に作用するためのバネ装置（３０）と、
本アクチュエータドライブ（１００）を調節するための調節装置（２０）とを含んでおり、
該調節装置（２０）はピニオン（１）とクラウンギヤ（３）とを有するギヤトランスミッション（４）を有しており、
前記クラウンギヤ（３）のクラウンギヤ軸（１３）は、ピニオン軸（１１）に対して相対的な角度、好適には直角の関係であり、
前記ギヤトランスミッション（４）は、第１のピニオン（１）と同じクラウンギヤ（３）と係合している第２のピニオン（２）を有していることを特徴とするアクチュエータドライブ。
【請求項２】
前記第２のピニオン（２）は、前記第１のピニオン（１）と共通の概念上の回転軸（１２）上に存在していることを特徴とする請求項１記載のアクチュエータドライブ。
【請求項３】
前記ギヤトランスミッション（４）は、かさ歯車トランスミッション（５）の形態であることを特徴とする請求項１または２記載のアクチュエータドライブ。
【請求項４】
前記２つのピニオン（１、２）は、作用力伝達シャフト（１４、２４）をそれぞれ有しており、該２本のシャフト（１４、２４）は互いに離れていることを特徴とする請求項１から３のいずれかに記載のアクチュエータドライブ。
【請求項５】
前記２つのピニオン（１、２）は、該ピニオン（１、２）を回転させるための個々の工具受領手段（１５、２５）をそれぞれ有していることを特徴とする請求項１から４のいずれかに記載のアクチュエータドライブ。
【請求項６】
前記工具受領手段（１５、２５）はスロット形態または十字スロット形態または六角形ソケット形態または六角小葉ソケット形態であることを特徴とする請求項５記載のアクチュエータドライブ。
【請求項７】
前記ギヤトランスミッション（４）の歯部は、好適には丸形の凹部（４２）に係合する丸形ノブ（４１）の形態であることを特徴とする請求項１から６のいずれかに記載のアクチュエータドライブ。
【請求項８】
前記クラウンギヤ（３）および/または前記ピニオン（１、２）はプラスチック製であることを特徴とする請求項１から７のいずれかに記載のアクチュエータドライブ。
【請求項９】
本アクチュエータドライブ（１００）は、ほぼ平坦な左側ハウジング側部（６１）と、ほぼ平坦な右側ハウジング側部（６２）とを備えたハウジング（６０）を有しており、
前記第１のピニオン（１）は前記左側ハウジング側部（６１）から利用可能であり、
前記第２のピニオン（２）は、前記右側ハウジング側部（６２）から利用可能であり、
同じ回転方向での外側からの前記第１と第２のピニオン（１、２）の回転は、本アクチュエータドライブ（１００）の同じ移動を提供することを特徴とする請求項１から８のいずれかに記載のアクチュエータドライブ。
【請求項１０】
前記調節装置（２０）は、旋回可能なアクチュエータレバー（６）上のバネパック（３１）の係合点（３２）の位置を調節することを特徴とする請求項１から９のいずれかに記載のアクチュエータドライブ。
【請求項１１】
前記調節装置（２０）は、ネジ溝が提供された本体部（８）を有する調節ネジ（７）を有しており、前記アクチュエータアーム（５０）に作用している前記バネ装置（２０）の稼動旋回モーメントは、前記調節ネジ（７）の回転移動によって前記本体部（８）に沿って移動可能に取り付けられているネジナット（９）によって調節可能であることを特徴とする請求項１から１０のいずれかに記載のアクチュエータドライブ。
【請求項１２】
前記調節装置（２０）は、前記バネ装置（３０）のバネパック（３１）のバネの圧縮応力を調節することを特徴とする請求項１から９のいずれかに記載のアクチュエータドライブ。
【請求項１３】
請求項１から１２のいずれかに記載の、１体のフラップ扉（１０１）と２体のアクチュエータドライブ（１００）とを含んだ家具（１１０）。
【発明の詳細な説明】
【技術分野】
【０００１】
本発明は、請求項１の前提部分の特徴を有した、家具のフラップ扉を作動させるためのアクチュエータドライブと、一体のフラップ扉と２体のそのようなアクチュエータドライブとを含んだ家具に関する。
【背景技術】
【０００２】
家具のフラップ扉を作動させるための、解説する一般的な種類のアクチュエータドライブは、例えば、ＷＯ２０１２/１１２９９７または同様なそのようなアクチュエータドライブを開示するＷＯ２００６/００５０８６などから知られている。
【０００３】
そのようなアクチュエータドライブは、それらを旋回させるために大きさが異なる、よって重量が異なるフラップ扉に固定されているので、アクチュエータドライブは、それらの旋回力および伝達されるトルクの両方に関して調節可能である必要がある。このため、これらのアクチュエータドライブは、開方向の旋回モーメント（回転モーメント）でアクチュエータアームを付勢するためのバネ装置を常に有しており、バネ装置のバネパックは調節装置によってそれらの作用力に関して調節できるとともに、アクチュエータドライブは、アクチュエータドライブのアクチュエータアーム上に作用するバネ装置の稼動旋回モーメントを調節するための調節装置を有している。
【０００４】
従来技術では、これらの調節装置は、これらのアクチュエータドライブが、家具筐体の左側と、家具筐体の右側の両方に固定されているため、家具筐体の右側壁でのアクチュエータドライブの調節が、家具筐体の左側壁でのアクチュエータドライブの調節とは異なっているため、大きな問題であることが多い。
【発明の概要】
【発明が解決しようとする課題】
【０００５】
本発明の目的は、組み立て作業がさらに容易な形態で、異なるフラップ扉に対して調節できる、家具のフラップ扉を動作させるためのさらに便利なアクチュエータドライブの提供である。
【課題を解決するための手段】
【０００６】
この目的は、請求項１記載の特徴を有するアクチュエータドライブと、請求項１３記載の特徴を有する家具とによって達成される。
【０００７】
本発明のさらに有利な実施態様は、従属請求項に定義されている。
【０００８】
調節装置のギヤトランスミッションが、第１のピニオンと同じクラウンギヤと係合している第２のピニオンを有するという事実によって、特定のピニオンが家具筐体の左側壁にアクチュエータドライブを装着するための調節に利用が可能になり、また、特定のピニオンが、家具筐体の右側壁に装着するために利用が可能になる。このようにして、アクチュエータドライブの調節を実行する作業員が、家具筐体のそれぞれの側壁専用の特定のピニオンで便利に調節を実行することができる。
【０００９】
特許保護は、ここで解説する実施態様の少なくとも一つによる、一体の家具フラップ扉と２体のアクチュエータドライブとを含んだ家具にも請求される。
【００１０】
本発明のさらなる詳細と利点は、図面に図示された実施例に関連する詳細な説明によって、以下でさらに詳説される。
【図面の簡単な説明】
【００１１】
【図１】家具フラップ扉上に２体のアクチュエータドライブを備えた家具の斜視図である。
【図２】アクチュエータドライブを備えた家具の切欠き斜視図である。
【図３】アクチュエータドライブの側面図である。
【図４】アクチュエータレバー上のバネパックの係合点の位置が変化した図３のアクチュエータドライブを図示している。
【図５】旋回して突出したアクチュエータアームを備えたアクチュエータドライブの側面図である。
【図６】旋回レバー上のバネパックの係合点が変化した図５のアクチュエータドライブを図示している。
【図７】調節装置を備えた旋回レバーの斜視図である。
【図８】調節装置を備えたアクチュエータレバーの分解斜視図である。
【図９】調節装置の斜視図である。
【図１０】かさ歯車トランスミッションの斜視図である。
【図１１】アクチュエータドライブの１変形例の斜視図である。
【図１２】アクチュエータレバー上のバネパックの係合点の位置を調節するための調節装置を備えた図１１の詳細斜視図である。
【図１３】アクチュエータドライブを調節するための２体の調節装置を備えた図１１のアクチュエータドライブの断面図であり、１体の調節装置によって、アクチュエータレバー上のバネパックの係合点の位置が変更されており、第２の調節装置がバネ装置のバネパックのバネ圧迫度（押圧力、圧縮応力）を調節する。
【発明を実施するための形態】
【００１２】
図１は、家具筐体１０２と家具フラップ扉１０１とを有する家具１１０の斜視図である。家具フラップ扉１０１を旋回させるため、２体のアクチュエータドライブ１００が、家具筐体１０２内の側壁１０３と１０４に取り付けられており、家具フラップ扉１０１は、アクチュエータドライブ１００に固定されている。
【００１３】
図２は、家具筐体１０２と、その左側壁部１０３を示す切欠き図である。アクチュエータドライブ１００は、上方領域にて左側壁部１０３に固定されている。この場合には、アクチュエータドライブ１００は、左側ハウジング壁側部６１と右側ハウジング壁側部６２とを有するハウジング６０を有している。これら２つのハウジング側部６１と６２は、家具筐体の側壁を適切に当接支持できるよう、ほぼ平坦である。アクチュエータドライブ１００が左側壁部１０３に固定されているとき、調節装置２０には、左側ハウジング側部６１からアクセス可能である。
【００１４】
アクチュエータドライブ１００が右側筐体壁部１０４（図示せず）に固定されているとき、調節装置２０には、アクチュエータドライブ１００のハウジング６０の右側ハウジング側部６２からアクセス可能である。
【００１５】
図３から図６はそれぞれ、アクチュエータドライブ１００の側面図である。図３と図４では、アクチュエータアーム５０は内側に旋回し、一方、図５と図６では、アクチュエータアームは外側に旋回している。
【００１６】
図３と図４、および図５と図６との違いは、それぞれの場合において、バネ装置３０のバネパック３１の係合点３２が調節装置２０によって調節されていることで、係合点３２は、図３と図５では下方位置にあり、図４と図６では上方位置にあることである。この結果、アクチュエータアーム５０に作用するバネ装置３０の稼動旋回モーメントが、旋回可能なアクチュエータレバー６によって変更される。
【００１７】
図３から図６の実施例では、調節装置２０は、旋回可能なアクチュエータレバー６上でのバネ装置３０のバネパック３１の係合点３２の位置を調節するように作用する。
【００１８】
このため、調節装置２０は、ネジ溝が提供された本体部８を有する調節ネジ７を有しており、アクチュエータアーム５０に作用しているバネ装置３０の旋回モーメントは、調節ネジ７の回転移動によって本体部８に沿って移動可能に取り付けられているネジナット９によって調節可能である。
【００１９】
調節ネジ７の回転モーメントは、アクチュエータドライブ１００が固定されている家具筐体の側部に応じた２体のピニオン１と２の一方の回転によって提供される。
【００２０】
図７は、アクチュエータレバー６への調節装置２０の取り付け状態を示す斜視図である。調節装置２０は調節ネジ７を有している。調節ネジ７はその本体部８にネジ溝を有している。ネジナット９はこのネジ溝によって移動される。バネ装置３０（図示せず）が係合する２つの係合点３２は、ネジナット９に提供されている。
【００２１】
アクチュエータレバー６の回転は、アクチュエータレバー６の回転軸４３の周囲で発生する。調節装置７の本体部８に沿ったネジナット９の移動は、アクチュエータレバー６の回転軸４３に対する係合点３２の伝達に変化をもたらす。
【００２２】
調節ネジ７は、ギヤトランスミッション４によって移動される（この点については図９と図１０、並びにそれらの解説を参照のこと）。
【００２３】
図８は、図７のアクチュエータレバー６の分解図である。この場合のアクチュエータレバー６の必須構成成分は、クラウンギヤ（crown  gear）３と係合することでギヤトランスミッション４（図示せず。図９と図１０を参照）を形成している２つのピニオン１と２である。クラウンギヤ３は、調節ネジ７のネジ頭の形態である。調節ネジ７にはネジナット９と、その２つの取り付け点３２（ここでは図示しないバネパック３１のためのもの）が配置されている。この構造では、ネジナット９は、調節ネジ７の本体部８によって移動される。
【００２４】
アクチュエータレバー６はアクチュエータレバー基部４４をさらに有している。アクチュエータレバー基部４４の左右には、その中に調節装置２０（図９と図１０参照）を受領する２体のアクチュエータレバー半分体４５と４６が提供されている。
【００２５】
図９は、アクチュエータドライブ１００（ここでは図示せず）を調節するための調節装置２０の斜視図である。調節装置２０は、ピニオン１、ピニオン２およびクラウンギヤ３を含むギヤトランスミッション４を有しており、この好適実施例では、クラウンギヤ軸１３はピニオン軸１１に直交する。ギヤトランスミッション４のピニオン１と２は共に同じクラウンギヤ３と係合している。
【００２６】
ピニオン軸１１とクラウンギヤ軸１３との間の角度は直角である必要はないことは理解できよう。直角ではない角度を想定することも可能である。よって、別な実施例ではその角度は例えば３０°から１５０°の間の任意の角度で提供されるであろう。
【００２７】
この好適実施例では、ギヤトランスミッション４はかさ歯車トランスミッション５の形態であり、ピニオン１と２はピニオン軸１１と同一である共通の概念上の回転軸１２に配置されている。
【００２８】
２つのピニオン１と２は、作用力伝達シャフト１４と２４をそれぞれ有しており、その２本のシャフト１４と２４は互いに離れている。
【００２９】
２つのピニオン１と２を移動させるため、それらはピニオン１と２を回転させるためにそれぞれの工具受領手段１５と２５をそれぞれ有している。
【００３０】
この好適実施例では、２つの工具受領手段１５と２５は十字スロット受領手段の形態であり、２つの受領手段１５と２５は、スロット形態、六角形ソケット形態または六角小葉ソケット（hexalobular socket）形態などの形態であることも当然に可能であろう。
【００３１】
例えばピニオン１がピニオン軸１１周囲で時計回り方向に回転すると、クラウンギヤ３も回転し、それと共に調節ネジ７が時計回り方向に回転する。
【００３２】
ピニオン２が時計回り方向に回転すると、調節ネジ７のクラウンギヤ３も時計回り方向に回転する。
【００３３】
これは従来技術に勝る大きな利点である。従来技術におけるこの状況では、調節装置２０によってアクチュエータドライブ１００がそこから移動される側に応じて、同じ結果に到達するには、異なる回転方向を使用しなければならない。換言すれば、右側筐体側壁に取り付けられたアクチュエータドライブ１００の場合には、同じように移動させるためには組み立て工は、左側筐体側壁に固定されたアクチュエータドライブ１００の場合とは反対の方向に調節ネジを回転させなければならない。換言すれば、組み立て工は、作用要素が移動されなければならない方向を知るため、取り付け側を常に考慮しなければならない。
【００３４】
そのようなことはアクチュエータドライブ１００の場合にはない。左側からの回転と右側からの回転は両方とも調節装置２０の同じ移動に導く。
【００３５】
図１０は、この好適実施例ではかさ歯車トランスミッション５の形態である、ギヤトランスミッション４の詳細図である。
【００３６】
ギヤトランスミッション４の歯部はここでは丸形ノブ４１の形態であり、この場合には対応する凹部４２に係合する。
【００３７】
図１０は、図９を回転させた詳細図である。その他の点では、図９の前述の解説がここでも当てはまる。
【００３８】
図１１から図１３は、アクチュエータドライブ１００の変形例を図示している。
【００３９】
このアクチュエータドライブ１００は一つの調節装置２０だけではなく２つの調節装置を有している。
【００４０】
この場合には、一方の調節装置２０は、旋回可能なアクチュエータレバー６のバネパック２１の係合点３２の位置を調節するように作用する。他方の調節装置２０は、バネ装置３０のバネパック３１のバネ圧迫度を調節するように作用する。
【００４１】
２つの調節装置２０はほぼ同一の構造であり、調節ネジ７の移動と調節は２つのピニオン１と２によって同様に実行される。その他の点では、前述の実施例に関する解説が対応的に当てはまる。
【００４２】
言及した両実施例において、好適にはクラウンギヤ３とピニオン１と２は共にプラスチック製である。これらをその他の材料で形成できることも当然に想定できる。
【符号の説明】
【００４３】
１  第１のピニオン
２  第２のピニオン
３  クラウンギヤ
４  ギヤトランスミッション
５  かさ歯車トランスミッション
６  アクチュエータレバー
７  調節ネジ
８  調節ネジの本体部
９  ネジナット
１１  ピニオン軸
１２  ピニオン１と２の共通の概念上の回転軸
１４  ピニオン１のシャフト
１５  ピニオン１の工具受領手段
２０  調節装置
２４  ピニオン２のシャフト
２５  ピニオン２の工具受領手段
３０  バネ装置
３１  バネ装置３０のバネパック
３２  バネパック３１の係合点
４１  ギヤトランスミッション４の丸形ノブ
４２  ギヤトランスミッション４の丸形凹部
４３  アクチュエータレバー６の回転軸
４４  アクチュエータレバー基部
４５  左側アクチュエータレバー半分体
４６  右側アクチュエータレバー半分体
５０  アクチュエータアーム
６０  アクチュエータドライブ１００のハウジング
６１  アクチュエータドライブ１００の左側ハウジング側部
６２  アクチュエータドライブ１００の右側ハウジング側部
１００  アクチュエータドライブ
１０１  家具フラップ扉
１０２  家具筐体
１０３  左側筐体側壁
１０４  右側筐体側壁
１１０  家具
【図１】
2016509143.tif 000003
【図２】
2016509143.tif 000004
【図３】
2016509143.tif 000005
【図４】
2016509143.tif 000006
【図５】
2016509143.tif 000007
【図６】
2016509143.tif 000008
【図７】
2016509143.tif 000009
【図８】
2016509143.tif 000010
【図９】
2016509143.tif 000011
【図１０】
2016509143.tif 000012
【図１１−１２】
2016509143.tif 000013
【図１３】
2016509143.tif 000014
【国際調査報告】
2016509143.tif 000015
2016509143.tif 000016
2016509143.tif 000017
2016509143.tif 000018
2016509143.tif 000019
2016509143.tif 000020